(57)【要約】【課題】カード媒体を集積状態で収納する収納部を複数配置しても、カード媒体を簡単な搬送系で情報処理手段に搬送でき、しかも、発券口に放置されたカード媒体を簡単なガイド構成で回収庫へ回収できるようにする。【解決手段】サブホッパ２４から取り出されたカード媒体２をその取出方向と直交する方向に沿って搬送してカード媒体搬送路５に送る搬送ベルト３３，３４と、メインホッパ１１，サブホッパ２４から取り出されて情報処理されたカード媒体２を発券する発券口と、この発券口から内部に取り込まれるカード媒体をガイドするもので、スプリングによって付勢され、カード媒体搬送路から搬出されるカード媒体が当接されることによりスプリングの付勢力に抗して回動して退避し、カード媒体が通過したのちはスプリングの付勢力により回動して復帰し、この復帰した回動ゲートに取込ローラによって取り込まれるカード媒体の先端部が当接されてガイドされる。【選択図】図２
2010237996.tif 000002
【特許請求の範囲】
【請求項１】
並列的に配置され、カード媒体を複数枚集積状態で収納する第１及び第２の収納部と、
前記第１及び第２の収納部内の前記カード媒体を取り出す第１及び第２の取出手段と、
前記第１の取出手段によって取り出された前記カード媒体をその取出方向に沿うカード媒体搬送路に沿って搬送する第１の搬送手段と、
前記第２の取出手段によって取り出された前記カード媒体をその取出方向と直交する方向に沿って搬送して前記カード媒体搬送路上に送る第２の搬送手段と、
前記カード媒体搬送路に設けられ、前記第１及び第２の収納部から取り出されて搬送されてくる前記カード媒体に対してそれぞれ情報処理を施す情報処理手段と、
この情報処理手段によって情報処理されて前記カード媒体搬送路の搬出部側から送り出される前記カード媒体を発券する発券口と、
この発券口と前記カード媒体搬送路の搬出部側との間に設けられ、前記発券口に放置された前記カード媒体を内部側に取り込む取込手段と、
この取込手段によって取り込まれる前記カード媒体を所定方向にガイドするガイド手段と、
このガイド手段によってガイドされてくる前記カード媒体を収納する回収庫とを具備し、
前記ガイド手段は、付勢部材によって付勢され、前記カード媒体搬送路から搬出される前記カード媒体が当接されることにより前記付勢部材の付勢力に抗して回動して退避し、前記カード媒体が通過したのちは前記付勢部材の付勢力によって回動して復帰する回動ゲートを有し、この復帰した回動ゲートに前記取込手段によって取り込まれる前記カード媒体の先端部が当接されてガイドされることを特徴とする発券装置。
【請求項２】
前記第１及び第２の収納部内に収納されるカード媒体は長方形状をなし、その長手方向に沿って取り出されることを特徴とする請求項１記載の発券装置。
【請求項３】
前記第２の搬送手段は、前記カード媒体をその短手方向に沿って挟持搬送する搬送ベルト対によって構成されることを特徴とする請求項１または２記載の発券装置。
【請求項４】
前記ガイド手段の回動ゲートの前記カード媒体をガイドするガイド面は、湾曲状に形成されたことを特徴とする請求項１乃至３の何れか一項に記載の発券装置。
【請求項５】
並列的に配置され、カード媒体を複数枚集積状態で収納する第１及び第２の収納部と、
前記第１及び第２の収納部内の前記カード媒体を取り出す第１及び第２の取出手段と、
前記第１の取出手段によって取り出された前記カード媒体をその取出方向に沿うカード媒体搬送路に沿って搬送する第１の搬送手段と、
前記第２の取出手段によって取り出された前記カード媒体をその取出方向と直交する方向に沿って搬送して前記カード媒体搬送路上に送る第２の搬送手段と、
前記カード媒体搬送路に設けられ、前記第１及び第２の収納部から取り出されて搬送されてくる前記カード媒体に対してそれぞれ情報処理を施す情報処理手段と、
この情報処理手段によって情報処理されて前記カード媒体搬送路の搬出部側から送り出される前記カード媒体を発券する発券口と
を具備することを特徴とする発券装置。
【請求項６】
カード媒体を複数枚集積状態で収納する収納部と、
この収納部内の前記カード媒体を取り出す取出手段と、
この取出手段によって取り出された前記カード媒体をその取出方向に沿うカード媒体搬送路に沿って搬送する搬送手段と、
前記カード媒体搬送路に設けられ、前記収納部から取り出されて搬送されてくる前記カード媒体に対して情報処理を施す情報処理手段と、
この情報処理手段によって情報処理されて前記カード媒体搬送路の搬出部側から送り出される前記カード媒体を発券する発券口と、
この発券口と前記カード媒体搬送路の搬出部側との間に設けられ、前記発券口に放置された前記カード媒体を内部側に取り込む取込手段と、
この取込手段によって取り込まれる前記カード媒体を所定方向にガイドするガイド手段と、
このガイド手段によってガイドされてくる前記カード媒体を収納する回収庫とを具備し、
前記ガイド手段は、付勢部材によって付勢され、前記カード媒体搬送路から搬出される前記カード媒体が当接されることにより前記付勢部材の付勢力に抗して回動して退避し、前記カード媒体が通過したのちは前記付勢部材の付勢力によって回動して復帰する回動ゲートを有し、この復帰した回動ゲートに前記取込手段によって取り込まれる前記カード媒体の先端部が当接されてガイドされることを特徴とする発券装置。
【発明の詳細な説明】
【技術分野】
【０００１】
本発明は、例えば、高速道路の出入口の料金所などに設置され、通行券を発行する発券装置に関する。
【背景技術】
【０００２】
この種の発券装置は、券媒体を収納するホッパを備え、このホッパから券媒体を一枚ずつ取り出して情報処理部に搬送し、この情報処理部で必要事項（例えば、車種、ＩＣ番号、月日時分などを）を印字、記録して発券口に発券するようになっている。
【０００３】
また、発券口に発券された券媒体は、取り忘れられてそのまま放置されてしまうことがあるが、このような場合には、所定時間経過すると発券口から取り込まれて回収庫に回収されるようになっている。
【０００４】
ところで、券媒体としては紙製のものや、アンテナ付きのＩＣチップを備えるプラスチック製の非接触式カード媒体（ＩＳＯ規格タイプＡのプラスチック材を想定）などが用いられている。
【０００５】
券媒体が紙製の場合には１つのホッパに例えば、３，０００枚程度収納されるが、非接触式のカード媒体の場合には、厚さが紙の倍程度となるため、１つのホッパに収納される可能枚数は１，５００枚程度に半減してしまう。このように収納枚数が半減されると、カード媒体の補充作業が頻繁になり、稼動効率が低下してしまうという問題があった。
【０００６】
そこで、従来においては、収納枚数を増大させるためにホッパを複数並列に配設し、これらホッパから送り出されるカード媒体を搬送ユニットで受け取って情報処理部へと搬送するものが開発されている（例えば、特許文献１参照。）。
【先行技術文献】
【特許文献】
【０００７】
【特許文献１】特開２００８−３３４９８号公報
【発明の概要】
【発明が解決しようとする課題】
【０００８】
しかしながら、従来においては、搬送ユニットをホッパのカード媒体送出方向に対して直交する方向に移動自在に設け、搬送ユニットを移動させることによりカード媒体を情報処理部に搬送していたため、搬送ユニットを移動させるための複雑な駆動機構が必要になりコスト高になるという問題があった。
【０００９】
本発明は上記事情に着目してなされたもので、その目的とするところは、カード媒体を集積状態で収納する収納部を複数配置しても、カード媒体を簡単な搬送系で情報処理手段に搬送でき、しかも、発券口に放置されたカード媒体を簡単なガイド構成で回収庫へ回収できるようにした券発装置を提供することを目的とする。
【課題を解決するための手段】
【００１０】
上記の課題を解決するために、請求項１記載の発明は、並列的に配置され、カード媒体を複数枚集積状態で収納する第１及び第２の収納部と、前記第１及び第２の収納部内の前記カード媒体を取り出す第１及び第２の取出手段と、前記第１の取出手段によって取り出された前記カード媒体をその取出方向に沿うカード媒体搬送路に沿って搬送する第１の搬送手段と、前記第２の取出手段によって取り出された前記カード媒体をその取出方向と直交する方向に沿って搬送して前記カード媒体搬送路上に送る第２の搬送手段と、前記カード媒体搬送路に設けられ、前記第１及び第２の収納部から取り出されて搬送されてくる前記カード媒体に対してそれぞれ情報処理を施す情報処理手段と、この情報処理手段によって情報処理されて前記カード媒体搬送路の搬出部側から送り出される前記カード媒体を発券する発券口と、この発券口と前記カード媒体搬送路の搬出部側との間に設けられ、前記発券口に放置された前記カード媒体を内部側に取り込む取込手段と、この取込手段によって取り込まれる前記カード媒体を所定方向にガイドするガイド手段と、このガイド手段によってガイドされてくる前記カード媒体を収納する回収庫とを具備し、前記ガイド手段は、付勢部材によって付勢され、前記カード媒体搬送路から搬出される前記カード媒体が当接されることにより前記付勢部材の付勢力に抗して回動して退避し、前記カード媒体が通過したのちは前記付勢部材の付勢力によって回動して復帰する回動ゲートを有し、この復帰した回動ゲートに前記取込手段によって取り込まれる前記カード媒体の先端部が当接されてガイドされることを特徴とする。
【００１１】
請求項５記載の発明は、並列的に配置され、カード媒体を複数枚集積状態で収納する第１及び第２の収納部と、前記第１及び第２の収納部内の前記カード媒体を取り出す第１及び第２の取出手段と、前記第１の取出手段によって取り出された前記カード媒体をその取出方向に沿うカード媒体搬送路に沿って搬送する第１の搬送手段と、前記第２の取出手段によって取り出された前記カード媒体をその取出方向と直交する方向に沿って搬送して前記カード媒体搬送路上に送る第２の搬送手段と、前記カード媒体搬送路に設けられ、前記第１及び第２の収納部から取り出されて搬送されてくる前記カード媒体に対してそれぞれ情報処理を施す情報処理手段と、この情報処理手段によって情報処理されて前記カード媒体搬送路の搬出部側から送り出される前記カード媒体を発券する発券口とを具備することを特徴とする。
【００１２】
請求項６記載の発明は、カード媒体を複数枚集積状態で収納する収納部と、この収納部内の前記カード媒体を取り出す取出手段と、この取出手段によって取り出された前記カード媒体をその取出方向に沿うカード媒体搬送路に沿って搬送する搬送手段と、前記カード媒体搬送路に設けられ、前記収納部から取り出されて搬送されてくる前記カード媒体に対して情報処理を施す情報処理手段と、この情報処理手段によって情報処理されて前記カード媒体搬送路の搬出部側から送り出される前記カード媒体を発券する発券口と、この発券口と前記カード媒体搬送路の搬出部側との間に設けられ、前記発券口に放置された前記カード媒体を内部側に取り込む取込手段と、この取込手段によって取り込まれる前記カード媒体を所定方向にガイドするガイド手段と、このガイド手段によってガイドされてくる前記カード媒体を収納する回収庫とを具備し、前記ガイド手段は、付勢部材によって付勢され、前記カード媒体搬送路から搬出される前記カード媒体が当接されることにより前記付勢部材の付勢力に抗して回動して退避し、前記カード媒体が通過したのちは前記付勢部材の付勢力によって回動して復帰する回動ゲートを有し、この復帰した回動ゲートに前記取込手段によって取り込まれる前記カード媒体の先端部が当接されてガイドされることを特徴とする。
【発明の効果】
【００１３】
本発明によれば、カード媒体を集積状態で収納する収納部を複数配置しても、カード媒体を簡単な搬送系で情報処理手段に搬送でき、しかも、発券口に放置されたカード媒体を簡単なガイド構成で回収庫へ回収できるようにした券発装置を提供できる。
【図面の簡単な説明】
【００１４】
【図１】本発明の一実施の形態である通行券の発券装置を示す概略的構成図。
【図２】図１のカード媒体の供給部を示す平面図。
【図３】図２の供給部を示す正面図。
【図４】図１のカード媒体の回収機構を示す側面図。
【図５】図４の回収機構の駆動制御系を示すブロック図。
【図６】図４のガイド機構を示す斜視図。
【図７】図６のガイド機構を示す平面図。
【図８】図６のガイド機構を示す正面図。
【図９】図６のガイド機構を示す側面図。
【図１０】図６の回動ゲートのカード媒体を当接させる当接部を示す図。
【図１１】図１の情報処理部で情報処理されたカード媒体が搬送路から搬出される状態を示す図。
【図１２】図１１のカード媒体が搬出されて回動ゲートを乗り越えた状態を示す図。
【図１３】図１２のカード媒体が発券口に発券されて回動ゲートが初期位置に復帰した状態を示す図。
【図１４】図１３のカード媒体が取り込まれてその先端部が回動ゲートに当接された状態を示す図。
【図１５】図１４のカード媒体が回動ゲートのガイド面に沿ってガイドされる状態を示す図。
【図１６】図１５のカード媒体が回収庫に回収された状態を示す図。
【発明を実施するための形態】
【００１５】
以下、本発明の実施の形態を図面に基づいて詳細に説明する。
【００１６】
図１は本発明の一実施の形態である通行券の発券装置を示す概略的構成図である。
【００１７】
図中１は装置本体で、この装置本体１内の奥側には券媒体としての樹脂製のカード媒体２を供給する供給部３が設けられている。カード媒体２はアンテナ付きのＩＣチップを備える非接触式のカード媒体である。供給部３から供給されたカード媒体２は第１の搬送手段としての搬送ローラ２２ａ〜２２ｆによってカード媒体搬送路（以下、単に搬送路という）５に沿って搬送される。
【００１８】
搬送路５の中途部にはカード媒体２に対して情報処理する情報処理手段としての情報処理部４が設けられている。情報処理部４はカード媒体２の表面に通行情報を印字する印字ユニット６ａとＩＣチップに通行情報を記録するリーダ／ライタ６ｂとによって構成されている。
【００１９】
情報処理されたカード媒体２は搬送路５に沿って搬送され、装置本体１の前面側に設けられた発券口７に放出されるようになっている。
【００２０】
また、搬送路５の搬出側の搬送ローラ２２ｆと発券口７との間には発券口７に放置されたカード媒体２を回収するための回収機構８が設けられている。回収機構８により回収されるカード媒体２は回収庫９内に収納されるようになっている。
【００２１】
図２は上記したカード媒体２の供給部３を示す平面図で、図３はその正面図である。
【００２２】
図中１１は第１の収納部としてのメインホッパで、このメインホッパ１１内には長方形状のカード媒体２が積層状態で多数枚（例えば１５００枚）収納されている。メインホッパ１１の上部側には第１の取出手段としてのピッカ１３が設けられ、このピッカ１３により最上部のカード媒体２からその長手方向に沿って一枚ずつ取り出されるようになっている。カード媒体２は一枚取り出される毎に押し上げられ、後続のカード媒体２が取出位置に位置決めされる。
【００２３】
カード媒体２の取出方向にはカード媒体２を上面部に沿ってガイドするガイド板１４が設けられているとともに、このガイド板１４に沿って搬送されてくるカード２の先端部を当接させて停止させるシャッタ１５が設けられている。
【００２４】
シャッタ１５によって停止されるカード媒体２の上方部にはカード媒体２の上面側を下方に向かって叩くための叩きローラ１７が設けられている。叩きローラ１７は回動レバー１８の回動端側に回転自在に取り付けられ、回動レバー１８はソレノイド１９の励磁により下方に回動されて叩きローラ１７をカード媒体２の上面側に叩き付けるようになっている。
【００２５】
ガイド板１４はスプリング１０によって支持され、叩きローラ１７がカード媒体２の上面側に叩きつけられることにより、スプリング１０の付勢力に抗して下降する。これにより、カード媒体２がシャッタ１５の下方に位置し、シャッタ１５を通過することが可能となる。
【００２６】
ガイド板１４上に取り出されたカード媒体２は搬送ローラ２２ａ〜２２ｃによって図２に矢印で示すように搬送路５に沿って搬送される。搬送ローラ２２ａ〜２２ｃは、それぞれシャフト２１ａ〜２１ｃの一端部側に取り付けられ、シャフト２１ａ〜２１ｃの他端部側にはプーリ１６ａ〜１６ｃが取り付けられている。これらプーリ１６ａ〜１６ｃには駆動ベルト１２が掛け渡され、駆動ベルト１２の走行により搬送ローラ２２ａ〜２２ｃが回転される。
【００２７】
一方、上記したメインホッパ１１の近傍には、第２の収納部としてのサブホッパ２４が並列的に設けられている。このサブホッパ２４側にも上記したと同様にピッカ（第２の取出手段）２５、シャッタ２６、搬送ガイド２７、叩きローラ２９、搬送ローラ３０が配設されている。
【００２８】
ただし、サブホッパ２４側の叩きローラ２９、及び搬送ローラ３０はピッカ２５によって取り出されるカード媒体２の取出方向に対し直交する方向、即ち、カード媒体２をその短手方向に沿って搬送する向きで配置され、シャッタ２６はカード媒体２がその短手方向に沿って搬送される方向に設けられている。
【００２９】
また、搬送ガイド２７と上記したメインホッパ側の搬送ガイド１４との間には、第２の搬送手段としての横搬送部３２が設けられ、この横搬送部３２により搬送ガイド２７から送り出されるカード媒体２がメインホッパ側の搬送ガイド１４上に向かって搬送されるようになっている。
【００３０】
横搬送部３２は上下の搬送ベルト３３，３４を有し、これら上下の搬送ベルト３３，３４によってカード媒体２を挟持搬送するようになっている。上側の搬送ベルト３３はローラ３６，３７間に掛け渡され、下側の搬送ベルト３４はローラ３８，３９間に掛け渡されている。下側の搬送ベルト３４を掛け渡す一方のローラ３９には駆動ベルト４１を介して駆動モータ４２が連結され、他方のローラ３８には動力伝達ベルト４３を介して搬送ローラ３０が連結されている。
【００３１】
図４は、上記した発券口７に放置されたカード媒体２を内部に回収するための回収機構８を示すものである。
【００３２】
回収機構８は発券口７と搬送路５の排出部側の搬送ローラ２２ｆとの間に位置して取込手段としての正逆回転する搬送ローラ４５，４６を備えている。
【００３３】
また、搬送ローラ４５，４６と搬送ローラ２２ｆとの間には取り込まれてくるカード媒体２を所定方向にガイドするためのガイド手段５０を構成する合成樹脂製の回動ゲート４８が設けられている。さらに、この回動ゲート４８のガイド方向にはカード媒体２を回収庫９に向かって搬送する搬送ローラ５８，５９が配設されている。
【００３４】
発券口７の近傍には、発券口７に放置されたカード媒体２を検出する検出センサ６１が設けられている。検出センサ６１は図５に示すように送信回路を介して制御部６２に接続され、制御部６２には制御回路を介して第１及び第２の駆動モータ６３，６４が接続されている。第１の駆動モータ６３により搬送ローラ４５，４６が正逆回転され、第２の駆動モータ６４により搬送ローラ５８，５９が正回転されるようになっている。
【００３５】
制御部６２は検出センサ６１の検出信号に基づいて第１の駆動モータ６３の駆動を制御する。即ち、発券口７に放出されたカード媒体２が取り忘れられて検出センサ６１によって所定時間以上継続して検出された場合には、制御部６２は第１の駆動モータ６３を逆回転させての搬送ローラ４５，４６を逆回転させるとともに、第２の駆動モータ６４を回転させての搬送ローラ５８，５９を正回転させるようになっている。
【００３６】
なお、制御部６２は情報処理されたカード媒体２が発券口７に向かって搬送されてくる場合には、第１の駆動モータ６３により搬送ローラ４５，４６を正回転させるようになっている。
【００３７】
一方、上記ガイド手段５０は、図６乃至図９に示すように構成されている。
【００３８】
即ち、ガイド手段５０の回動ゲート４８は、その基端部側がシャフト５１を介して本体ベース５２に回動自在に支持されている。シャフト５１の一端部側は本体ベース５２から突出され、この突出部にフック用アーム５３が取り付けられている。
【００３９】
フック用アーム５３には付勢部材としてのスプリング５５が接続され、このスプリング５５により回動ゲート４８はシャフト５１を中心にして上方に回動するように付勢されている。本体ベース５２にはフック用アーム５３を当接させてその回動を停止させるストッパ５６が設けられている。回動ゲート４８はフック用アーム５３がストッパ５６に当接されることにより、イニシャル状態を保ち搬送路５の搬出側に突出するようになっている。
【００４０】
また、回動ゲート４８の下面側は回収されるカード媒体２の先端部側を当接させてガイドするガイド面４８ａとなっており、このガイド面４８ａは湾曲面状に形成されている。
【００４１】
さらに、回動ゲート４８の基端部側の両側部には図１０にも示すように当接面４８ｂ、４８ｂが形成され、情報処理されて搬送されてくるカード媒体２の先端部が当接面４８ｂ、４８ｂに当接されるようになっている。この当接により、回動ゲート４８はスプリング５５の付勢力に抗して下方に回動し、搬送路５の搬出側から下方に退避するようになっている。
【００４２】
次に、上記したように構成される発券装置の発券動作について説明する。
【００４３】
まず、メインホッパ１１のピッカ１３を動作させて最上位のカード媒体２を矢印で示すようにその長手方向に沿って取り出す。このカード媒体２は搬送ガイド１４に沿って送り出され、その先端部がシャッタ１５に当接することにより停止する。この停止後、ソレノイド１９が励磁されて叩きローラ１７が下降しカード媒体２を上面側から叩いて押し下げる。これにより、搬送ガイド１４がスプリング１０の付勢力に抗して押し下げられる。
【００４４】
この押し下げにより、カード媒体２はシャッタ１５の下方に案内されて下部側の搬送ローラ２２ａに押し当てられ、搬送ローラ２２ａの回転により前方に搬送されシャッタ１５を通過する。このカード媒体２は搬送ローラ２２ｂ，２２ｃの回転により、さらに搬送されて印字ユニット６ａ、リーダ／ライタ６ｂへと送られる。カード媒体２は印字ユニット６ａで通行情報が印字されたのち、リーダ／ライタ６ｂでＩＣチップに通行情報が記録される。このように通行情報が印字、記録されたカード媒体２は、図１１に示すように搬送路５に沿って発券口７へ向かって搬送される。
【００４５】
このカード媒体２が図１２に示すように搬送路５の排出側の搬送ローラ２２ｅから送り出されるとその先端部側が回動ゲート４８の基端部側の当接面４８ｂ，４８ｂに当接する。この当接により、回動ゲート４８はスプリング５５の付勢力に抗して下方に回動して退避される。カード媒体２は退避された回動ゲート４８上を通過したのち、正回転する搬送ローラ４５，４６によって挟持搬送され、図１３に示すように発券口７に送り出される。また、このときには、回動ゲート４８はスプリング５５の付勢力により上方に回動し、所期位置に復帰する。
【００４６】
以後、順次同様にしてメインホッパ１１からカード媒体２が取り出されて通行情報が印字、記録されたのち、発券口７に発券される。この発券が継続されると、メインホッパ１１内のカード媒体２が無くなるが、この場合にはサブホッパ２４側からピッカ２５によりカード媒体２が取り出される。この取り出されたカード媒体２は、搬送ガイド２７に沿って送り出されて停止される。この停止後、ソレノイド２８が励磁されて叩きローラ２９が下降され、カード媒体２を下方に向かって押し下げる。これにより、スプリング２０の付勢力に抗して搬送ガイド２７が下降される。この下降により、カード媒体２がシャッタ２６の下方に押し下げられ、下部側の搬送ローラ３０に押し当てられる。カード媒体２は、搬送ローラ３０の回転によりその短手方向に沿って送り出される。
【００４７】
このカード媒体２は横搬送部３２の上下の搬送ベルト３３，３４によって挟持搬送され、メインホッパ１１側の搬送ガイド１４上に送られる。こののち、ソレノイド１９が励磁されて叩きローラ１７が下降してカード媒体２を上面側から押し下げる。これにより、搬送ガイド１４がスプリング１０の付勢力に抗して押し下げられる。この押し下げにより、カード媒体２はシャッタ１５の下方に案内されて下部側の搬送ローラ２２ａに押し当てられる。カード媒体２は搬送ローラ２２ａの回転により前方に進み、さらに搬送ローラ２２ｂ，２２ｃの回転により搬送されて印字ユニット６ａさらにリーダ／ライタ６ｂへと送られる。
【００４８】
カード媒体２は印字ユニット６ａ，リーダ／ライタ６ｂで通行情報が印字、記録されたのち、上記したと同様にして発券口７に送り出される。
【００４９】
以後、順次同様にしてサブホッパ２４からカード媒体２が取り出されて通行情報が印字、記録されたのち、発券口７に送り出される。
【００５０】
ところで、上記したように発券口７に送り出されたカード媒体２が取り忘れられてそのまま放置されてしまうことがある。この放置されたカード媒体２は検出センサ６１によって検知され、検知状態が所定時間継続すると、制御部６２は回収機構８を動作させる。
【００５１】
即ち、制御部６２は図１３に示す状態から第１の駆動モータ６３を逆回転させて搬送ローラ４５，４６を逆回転させる。これにより、放置されたカード媒体２は図１４に示すように搬送されて取り込まれる。このとき、回動ゲート４８はスプリング５５の付勢力により上方に回動して初期位置に復帰した状態にあり、取り込まれるカード媒体２は、その取込方向先端部を回動ゲート４８の下面側の湾曲状のガイド面４８ａに当接させる。そして、カード媒体２は図１５に示すように回動ゲート４８のガイド面４８ａに沿って斜め下方にガイドされる。この回動ゲート４８によってガイドされてくるカード媒体２は搬送ローラ４８，５９の回転により挟持搬送されて図１６に示すように回収庫９内に収納される。
【００５２】
上記したように、この実施の形態によれば、メインホッパ１１から取り出されたカード媒体２は搬送路５に沿って搬送して情報処理部４に送り、サブホッパ２４から取り出されたカード基材２はその取出方向と直交する方向に搬送してメインホッパ側の搬送路５に送って情報処理部４に搬送するため、メインホッパ１１とサブホッパ２４から取り出されたカード媒体２を情報処理部４に搬送するための搬送系を共用化でき、構成的に簡略化できる。
【００５３】
また、回動ゲート４８は、スプリング５５によって付勢され、情報処理されて搬出されるカード媒体２が当接されることによりスプリング５５の付勢力に抗して回動して搬送路５の搬出部側から退避し、カード媒体２が通過したのちはスプリング５５の付勢力によって回動して搬送路５の搬出部側に復帰し、そのガイド面４８ａに発券口７から取り込まれてくるカード媒体２の先端部を当接させて所定方向にガイドするため、アクチュエータを用いた場合のように、タイミングセンサーや動作制御の必要がなく、小型化や低価格化を実現することが可能となる。
【００５４】
また、回動ゲート４８は、取り込まれるカード基材２を当接させてガイドするガイド面４８ａを湾曲状に形成するため、カード基材２の搬送方向を緩やかに変更でき、カード基材２の変形量を最小限に抑えて、ＩＣチップへの悪影響を低下させることができる。
【符号の説明】
【００５５】
２…カード媒体、５…カード媒体搬送路、６ａ…印字ユニット（情報処理手段）、６ｂ…リーダ／ライダ（情報処理手段）、７…発券口、１１…メインホッパ（第１の収納部）、１３…ピッカ（第１の取出手段）、２２ａ〜２２ｆ…搬送ローラ（第１の搬送手段）、２４…サブホッパ（第２の収納部）、２５…ピッカ（第２の取出手段）、３２…横搬送部（第２の搬送手段）、３３，３４…搬送ベルト（搬送ベルト対）、４５，４６…搬送ローラ（取込手段）、４８…回動ゲート、４８ａ…ガイド面、５０…ガイド手段、５５…スプリング（付勢部材）。
【図１】
2010237996.tif 000003
【図２】
2010237996.tif 000004
【図３】
2010237996.tif 000005
【図４】
2010237996.tif 000006
【図５】
2010237996.tif 000007
【図６】
2010237996.tif 000008
【図７】
2010237996.tif 000009
【図８】
2010237996.tif 000010
【図９】
2010237996.tif 000011
【図１０】
2010237996.tif 000012
【図１１】
2010237996.tif 000013
【図１２】
2010237996.tif 000014
【図１３】
2010237996.tif 000015
【図１４】
2010237996.tif 000016
【図１５】
2010237996.tif 000017
【図１６】
2010237996.tif 000018